(57)【要約】【課題】  毛髪処理剤をシート上において偏らせずに毛髪束に均一に供給し得る毛髪保持具を提供する。【解決手段】  本発明の毛髪保持具１は、毛髪束９を所定の形状に保持する２つの毛髪保持シートにより構成され、その１つは、その内面に、粘度が１００ｍＰａ・ｓ以上の毛髪処理剤が塗布された、毛髪処理剤６に対して不透過性の剤塗布シート３ａであり、もう１つは、剤透過シート４である。毛髪保持具１は、剤塗布シート３ａ及び剤透過シート４が重なり合った状態で、毛髪束９を挿通可能な扁平筒状体１Ａに形成されている。【選択図】    図１
2005218734.tif 000002
【特許請求の範囲】
【請求項１】
毛髪束を所定の形状に保持する一又は二以上の毛髪保持シートから筒状に構成され、少なくとも一つの該毛髪保持シートは、その内面に、粘度が１００ｍＰａ・ｓ以上の毛髪処理剤が塗布された、該毛髪処理剤に対して不透過性の剤塗布シートである毛髪保持具。
【請求項２】
前記毛髪処理剤は、剤保持層によって保持されている請求項１記載の毛髪保持具。
【請求項３】
一面が前記剤塗布シートで形成され且つ他面が前記毛髪処理剤に対して透過性の剤透過シートで形成された扁平筒状体であり、
前記剤塗布シートと前記剤透過シートの間に、前記毛髪処理剤に対して不透過性の保護シートが挿通されており、前記剤透過シートと前記保護シートの間に、毛髪束を挿通可能な空隙部が形成されている請求項１又は２に記載の毛髪保持具。
【請求項４】
両面が二つの前記毛髪保持シートから形成されその少なくとも一面が前記剤塗布シートである内側扁平筒状体と、毛髪束を所定の形状に保持する二つのシートから形成された外側扁平筒状体とからなり、
前記内側扁平筒状体は、内部に毛髪束を挿通可能な空隙部を有し、前記外側扁平筒状体に挿通されている請求項１又は２に記載の毛髪保持具。
【請求項５】
毛髪束を前記内側扁平筒状体内に導入するように構成された毛髪挿入具を備え、該毛髪挿入具は、前記内側扁平筒状体内に前記毛髪処理剤と共に密閉されている請求項４記載の毛髪保持具。
【請求項６】
前記内側扁平筒状体の端部は、前記毛髪挿入具の端部を露出可能にしてある請求項５記載の毛髪保持具。
【発明の詳細な説明】
【技術分野】
【０００１】
本発明は、毛髪にパーマ等を施してカール等を付与する際に、毛髪束を所定の形状に巻回等するための補助具として用いられる毛髪保持具に関する。
【背景技術】
【０００２】
従来より、毛髪にパーマ等を施してカール等を付与する際に用いられる毛髪保持具として、例えば特許文献１に示されたコールドパーマネント具が知られている。この毛髪保持具は、ロッドに巻き付けた毛髪束を保持する一対の半円筒を備え、この内部に、海綿様吸液物質を設けて浸液部を構成したものであり、その浸液部にパーマ液を含浸させることにより、パーマ液が外部に漏れるのを防止するようにしている。
【０００３】
近年、ロッドを用いずに、毛髪束の取り扱いを容易にした毛髪保持具が開発されている。例えば、特許文献２に示された毛髪保持具は、筒状体内に毛髪束を取り込んだ状態でその筒状体を変形させることにより、毛髪束の巻回状態を保持するようにしたものである。
しかし、この毛髪保持具は、これ自体を手で巻回する必要があるため、依然として手間がかかるという問題があった。
このような問題を解決するため、特許文献３及び４に示された毛髪保持具は、毛髪束を挿通可能にした筒状体に、巻き上げ用糸を例えばスパイラル状等に巻き付けたものであり、その巻き上げ用糸を引っ張ることにより、毛髪束を筒状体と共に巻き上げるようにしている。
【０００４】
【特許文献１】実公昭３０−１０６５６号公報
【特許文献２】特開平１０−１９２０３６号公報
【特許文献３】特開２００３−９３１３３号公報
【特許文献４】国際公開第０３／００７７５２号パンフレット
【発明の開示】
【発明が解決しようとする課題】
【０００５】
ところで、筒状体に挿入した毛髪束を巻き上げるタイプの毛髪保持具においては、毛髪束を巻き上げた際に、毛髪処理剤がシート上において偏らず均一に毛髪束に供給されることが望まれている。
しかしながら、上記特許文献３の毛髪保持具においては、通常、毛髪束と共に巻き上げた筒状体に毛髪処理剤を滴下し、その毛髪処理剤を、筒状体の側面を形成している不織布を通して毛髪束に浸すようにしているため、この際、毛髪処理剤が不織布上において流動したり漏出したりして偏ってしまい、毛髪束に毛髪処理剤を均一に浸漬させることができなかった。
【０００６】
従って、本発明の目的は、毛髪処理剤をシート上において偏らせずに毛髪束に均一に供給し得る毛髪保持具を提供することにある。
【課題を解決するための手段】
【０００７】
発明者等は、毛髪処理剤に対して不透過性のシートに、予め、粘度の規定による高粘性の毛髪処理剤を塗布させておき、このシートを毛髪保持シートとすれば、毛髪保持シートを巻き上げた際これが変動しても、毛髪処理剤がシート上において偏らずに塗布された状態のまま保持されることを知見した。
【０００８】
本発明は、上記知見に基づいてなされたものであり、毛髪束を所定の形状に保持する一又は二以上の毛髪保持シートから筒状に構成され、少なくとも一つの該毛髪保持シートは、その内面に、粘度が１００ｍＰａ・ｓ以上の毛髪処理剤が塗布された、該毛髪処理剤に対して不透過性の剤塗布シートである毛髪保持具を提供することにより前記目的を達成したものである。
【０００９】
本出願において、「塗布」された毛髪処理剤の層は、毛髪処理剤を保持する「剤保持層」を含めたものである。
【発明の効果】
【００１０】
本発明によれば、毛髪束を所定形状に保持するシートを不透過性にし、この不透過性のシートに高粘性の毛髪処理剤を塗布することにより、シート上の毛髪処理剤を偏らせずに均一に保持でき、ひいては、毛髪処理剤を毛髪束に均一に供給することができる。
【発明を実施するための最良の形態】
【００１１】
以下、本発明の毛髪保持具の最も好ましい一実施形態（第１実施形態）を図面を参照して詳細に説明する。
図１又は図２に示すように、本実施形態の毛髪保持具１は、毛髪束９を所定の形状に保持する２つの毛髪保持シート３、３により構成され、その１つの毛髪保持シート３は、その内面に、粘度が１００ｍＰａ・ｓ以上の毛髪処理剤が塗布された、毛髪処理剤６に対して不透過性の剤塗布シート３ａである。
【００１２】
まず、本実施形態における毛髪保持具１の具体的構成を述べる。
図１（ａ）（ｂ）に示すように、毛髪保持具１において、もう一つの毛髪保持シート３には、剤透過シート４が用いられている。毛髪保持具１は、剤塗布シート３ａ及び剤透過シート４が、その両側縁部１１、１１でヒートシールされることにより、両端に開口して毛髪束を挿通可能な扁平筒状体１Ａに形成されている。
【００１３】
扁平筒状体１Ａ内には、保護シート７が、両端の開口部からはみ出た状態で挿通されている。扁平筒状体１Ａには、巻き上げ用糸（図示しない）が、所定の軌跡（例えばスパイラル状）に沿って剤塗布シート３ａ及び剤透過シート４を縫うように巻き付けられている。
このような扁平筒状体１Ａは、巻き上げ用糸の牽引により幾重にも畳められ、その状態で、毛髪束９を上記軌跡に従った形状に保持するようになっている。なお、毛髪束９を渦巻き状に巻き上げる場合には、剤透過シート４からの液だれを防止する観点から、巻き上げ用糸は、剤塗布シート３ａが外側になるような軌跡に沿うことが好ましい。
【００１４】
次に、剤塗布シート３ａ、剤透過シート４及び保護シート７の各詳細を説明する。
剤塗布シート３ａは、樹脂フィルム５と、剤塗布層６とからなる。
樹脂フィルム５は、毛髪処理剤６に対して不透過性のシートであり、毛髪処理剤６の漏出を防止する観点から、剤塗布シート３ａの基材として用いられる。
剤塗布層６は、樹脂フィルム５の内面上に毛髪処理剤６が均一に塗布されてなる層である。ここに、剤塗布層６は、例えば目の粗い不織布やスポンジのような剤保持層によって保持され、毛髪処理剤６の高粘性と相俟って流動しないようになっている。このような剤塗布層６は、剤保持層の表面層に毛髪処理剤が塗布され、剤保持層と毛髪処理剤とが一体化したものである。
【００１５】
毛髪処理剤６は、通常の毛髪処理に用いられるものであれば特に限定されず、例えば、パーマ剤（１浴式）、トリートメント剤、スタイリング剤、染色剤等である。毛髪処理剤６の粘度については、毛髪処理剤６が樹脂フィルム５上で流動せず偏らないようにする観点では、１００ｍＰａ・ｓ以上であることが好ましく、毛髪処理剤６が毛髪に移行させやすくする観点では、１００００ｍＰａ・ｓ以下であることが好ましい。
【００１６】
剤透過シート４は、保護シート７を介して、剤塗布シート３ａ上の剤塗布層６と対向している。剤透過シート４は、外部の毛髪処理剤６を透過させて毛髪束９側に滲出させる観点から、毛髪処理剤６に対して透過性の不織布にしており、この不織布としては、例えば、ポリエチレン不織布等がある。
【００１７】
保護シート７は、剤塗布シート３ａと剤透過シート４との間に介在している。保護シート７は、剤塗布シート３ａ側で剤塗布層６を覆い、剤透過シート４側でこれとの間に毛髪束９を挿通するための空隙部１２（図１（ｂ）及び図２（ａ）参照）を形成する観点から、毛髪処理剤６に対して不透過性の樹脂フィルムにしており、この樹脂フィルムとしては、例えば、ポリエチレン、ポリプロピレン、ポリエチレンテレフタレート等がある。
保護シート７を扁平筒状体１Ａから抜き取る際に毛髪処理剤６の付着量を極力少なくする観点から、保護シート７の表面上に、剥離処理が施されていることが好ましい。
【００１８】
本実施形態の毛髪保持具１の使用態様を説明する。
まず、図２（ａ）に示すように、毛髪束９を、剤透過シート４と保護シート７との間における空隙部１２に挿通する。この際、毛髪挿入具１３（図４参照、詳細後述）を用いて、毛髪束９をその空隙部１２に導入してもよい。
次いで、図２（ｂ）（ｃ）に示すように、保護シート７を扁平筒状体１Ａから抜き取り、毛髪束９を、剤塗布シート３ａ上の剤塗布層６に浸した後、扁平筒状体１Ａを毛髪束９と共に巻き上げる。
このような一連の処理を、毛髪の全体又は所定範囲に対して行う。この状態で所定時間（例えば約１５分間）放置し、毛髪処理剤６を毛髪束９に均一に浸す。
その後、軽くすすいだ後、所定時間（例えば約１５分間）放置してから、すべての毛髪保持具１を取り外し、毛髪を完全にすすぐ。
【００１９】
以上述べたように、本実施形態によれば、毛髪保持シート３の一方を不透過性のシートにし、このシートに粘度の数値規定による高粘性の毛髪処理剤６を塗布したため、この剤塗布シート３ａが巻き上げた際に変動しても、毛髪処理剤６を偏らずに塗布された状態のまま保持でき、ひいては、毛髪処理剤６を毛髪束９に均一に供給することができる。
【００２０】
特に、本実施形態の場合、毛髪処理剤６を剤保持層と一体化して剤塗布層にしたため、高粘性と剤保持性との相互作用により、毛髪処理剤６をより不動なものにしてその均一化を向上させることができる。
【００２１】
また、本実施形態によれば、剤塗布シート３ａと剤透過シート４との間に保護シート７を介在させたため、剤塗布シート３ａ上の毛髪処理剤６が剤透過シート４側から滲出するのを防止できると共に、扁平筒状体１Ａに毛髪束９を挿入する際、毛髪束９に毛髪処理剤６が付着して衣服等に転移するのを防止できる。
【００２２】
次に、本発明の毛髪保持具の他の実施形態（第２実施形態）を、主に、上記第１実施形態と異なる点について、図面を参照して詳細に説明する。
図３に示すように、本実施形態の毛髪保持具１０は、毛髪束を挿通するための内側扁平筒状体１０Ａと、この内側扁平筒状体１０Ａを挿通するための外側扁平筒状体１０Ｂとからなる。
【００２３】
内側扁平筒状体１０Ａには、毛髪保持シート３として、上記剤塗布シート３ａ及び剤不透過シート４’を２枚重ね合わせたものが用いられ、外側扁平筒状体１０Ｂには、毛髪処理剤６に対して透過性の不織布３ｂ、３ｂを２枚重ね合わせたものが用いられている。
【００２４】
図４に示すように、内側扁平筒状体１０Ａは、剤塗布シート３ａ及び剤不透過シート４’が互いに重なり合った状態で、その周囲部分がヒートシールで接合されることにより、この内部に充填された毛髪処理剤６が漏出しないようにこれを密閉した袋状に形成されている。
内側扁平筒状体１０Ａの内部には、毛髪挿入具１３が挿通されている。この毛髪保持具１３は、案内棒１３ａの先端に、毛髪束９を束ねるリングバンド１３ｂが取り付けられて構成されている。
【００２５】
ここで、内側扁平筒状体１０Ａのヒートシールがされた領域について詳述すると、このヒートシール領域は、毛髪保持具１３の形状に応じて複数に分割されており、案内棒１３ａの大部分を毛髪処理剤６と共に密閉する第１シール領域１５と、リングバンド１３ｂのみを密閉する第２シール領域１６と、案内棒３ａの後端部分のみを密閉する第３シール領域１７とからなる。
【００２６】
第１シール領域１５においては、毛髪束９が挿入された際、毛髪束９に毛髪処理剤６を効率よく浸す観点から、ヒートシールの両側縁部分には、幅方向内側に張り出た突部１４が形成されており、各側縁部分における突部１４は、一方側の突部１４が、他方側の突部１４と互い違いになるように配列されている。
【００２７】
第２シール領域１６においては、毛髪挿入具１３を取り出す際、リングバンド１３ｂを容易に露出させる観点から、ヒートシールの外周部分は、通常の操作で剥離可能な程度の弱い接合力をもつように施されている。
【００２８】
第３シール領域１７においては、毛髪挿入具１３を取り出す際、案内棒１３ａの後端部分を容易に露出させる観点から、少なくともこの領域に含まれる樹脂フィルム３ｂは、通常の操作で切離可能な材料からなっている。
【００２９】
外側扁平筒状体１０Ｂは、不織布３ｂ、３ｂが、互いに重なり合った状態で、その両側縁部分がヒートシールで接合されることにより、内側扁平筒状体１０Ａを挿通可能に形成されている。外側扁平筒状体１０Ｂの幅は、内側扁平筒状体１０Ａの幅より大きく設定されている。外側扁平筒状体１０Ｂの長さは、挿通された内側扁平筒状体１０Ａに対し、この第２、第３シール領域１６、１７の端部分を露出させるように短めに設定されている。
【００３０】
外側扁平筒状体１０Ｂには、上記第１実施形態と同様、毛髪束９を所定の形状に保持するための巻き上げ用糸１８が巻き付けられているが、本実施形態の場合、巻き上げ用糸１８は、内側扁平筒状体１０Ａの外周面に巻き付きこれを保持している点で上記第１実施形態と異なっている。
【００３１】
本実施形態の毛髪保持具１０の使用態様を説明する。
まず、図３及び図４に示すように、内側扁平筒状体１０Ａにつき、一方の端部を剥離してリングバンド１３ｂを露出すると共に、他方の端部を切離して案内棒１３ａの後端部分を露出し、リングバンド１３ａに毛髪束９を通してから、案内棒１３ａの後端部分を掴んで毛髪挿入具１３を内側扁平筒状体１０Ａから抜き取る。これにより、毛髪束９は、内側扁平筒状体１０Ａ内に挿通され、毛髪処理剤６に浸される。
【００３２】
次いで、内側扁平筒状体１０Ａを外側扁平筒状体１０Ｂから抜き取ったのち、巻き上げ用糸１８の牽引により、外側扁平筒状体１０Ｂを巻き上げる。また、毛髪処理剤の種類によっては内側扁平筒状体１０Ａを抜き取らず、毛髪束９と共に巻き上げてもよい。
その後の処理は、上記第１実施形態と同様である。
【００３３】
以上述べたように、本実施形態によれば、毛髪処理剤６を密閉した内側扁平筒状体１０Ａと、毛髪束９を所定の形状に保持し外側扁平筒状体１０Ｂとを一体化したため、毛髪処理剤を漏出せずに毛髪束９に均一に浸漬させることを一層確実に達成できる。
【００３４】
また、本実施形態によれば、内側扁平筒状体１０Ａ内に毛髪挿入具１３を毛髪処理剤６と共に密閉し、毛髪挿入具１３のリングバンド１３ｂ及び案内棒１３ａの後端部分を露出可能にしたため、毛髪束９の内側扁平筒状体１０Ａへの挿入を円滑に行うことができる。
【００３５】
本発明は、上記第１、第２実施形態に限られることなく、種々の変更等を行うことがでる。
毛髪処理剤の流動性をより効果的に抑える点では、上記第１実施形態のように、毛髪処理剤は剤保持層によって保持されることが好ましいが、粘度の数値規定による高粘性の毛髪処理剤を、単独で不透過性のシートに塗布してもよい。
【００３６】
上記第１実施形態の扁平筒状体、及び上記第２実施形態の内側扁平筒状体は、２枚の剤塗布シートから構成されてもよく、この場合、偏らず均一に塗布された毛髪処理剤で毛髪束を両面から挟む点で有利である。
上記第１、第２実施形態で用いた、樹脂フィルムに、予め、毛髪処理剤を塗布させておくのではなく、毛髪処理を行う前に、この樹脂フィルムに毛髪処理剤を塗布して、これを上記第１、第２実施形態の剤塗布シートにしてもよい。この場合、毛髪処理剤の蒸発を防止できるという利点がある。
【００３７】
剤塗布シートは、テーバー硬さが０．２ｍＮ・ｃｍ以上の不織布に上記高粘性の毛髪処理剤が塗布され構成されてもよい。内側扁平筒状体に毛髪処理剤のみを密閉しておき、毛髪挿入具を毛髪束と共に内側扁平筒状体に挿入するようにしてもよい。
【図面の簡単な説明】
【００３８】
【図１】（ａ）は、第１実施形態の毛髪保持具の概略構成を示す斜視図、（ｂ）は、（ａ）のＡ−Ａ切断線に沿った断面図である。
【図２】（ａ）〜（ｃ）は、図１（ａ）のＢ−Ｂ切断線に沿った断面図であり、（ａ）は、毛髪束を挿入する段階を示した図、（ｂ）は、保護シートを抜き取る段階を示した図、（ｃ）は、毛髪束の挿入が終了した段階を示す図である。
【図３】第２実施形態の毛髪保持具の概略構成を示す図である。
【図４】第２実施形態の毛髪保持具における内側扁平筒状体の概略構成を示す斜視図である。
【符号の説明】
【００３９】
１、１０  毛髪保持具
１Ａ      扁平筒状体
３        毛髪保持シート
３ａ      剤塗布シート
３ｂ      不織布
４        剤透過シート
４’      剤不透過シート
６        毛髪処理剤、剤塗布層
７        保護シート
９        毛髪束
１０Ａ      内側扁平筒状体
１０Ｂ      外側扁平筒状体
１３        毛髪挿入
【図１】
2005218734.tif 000003
【図２】
2005218734.tif 000004
【図３】
2005218734.tif 000005
【図４】
2005218734.tif 000006